(57)【要約】  発明は電磁波から個人を保護するための多重移相装置に関する。発明は複数の移相モジュール（１と２）を備え、そのそれぞれが２つの同一又は相似で平坦なループ（３、４、５、６）を備える。ループは、第１開放部（１１、１２）で２つのループ間接続エレメント（７、８、９、１０）によって互いに電気的に接続され、ループ間接続エレメントを除いて互いから電気的に絶縁される。各モジュールは、２つのモジュール間接続エレメント（１３、１４）によって他のモジュールに電気的に接続され、他のモジュールと本質的に同一又は相似である。モジュール間接続エレメントは、一方のモジュールのループのうちの１つを、このループの第２開放部（１５）で、他方のモジュールのループのうちの１つに、このループの第２開放部（１６）で接続する。モジュールは、モジュール間接続エレメントを除いて互いから電気的に絶縁されている。
2009506604.tif 000002
【特許請求の範囲】
【請求項１】
電磁波に関して人々の保護のための多重移相装置であって、複数の移相モジュール（１、２）を含み、それぞれのモジュールが、実質的に互いに同じ又は相似で、実質的に平坦な少なくとも２つのループ（３、４、５、６）を含み、前記ループ（３、４、５、６）が、前記ループ（３、４、５、６）のそれぞれにおいて第１開放部（１１、１２）で２つの別個のループ間接続エレメント（７、８、９、１０）によって互いに電気的に接続され、前記ループ（３、４、５、６）が、前記ループ間接続エレメント（７、８、９、１０）を除いて互いから電気的に絶縁され、前記移相モジュール（１、２）のそれぞれがさらに、２つの別個のモジュール間接続エレメント（１３、１４）によって前記移相モジュール（１、２）の少なくとも他の１つに電気的に接続され、前記他の１つの移相モジュール（１、２）と実質的に同じ又は相似であり、前記モジュール間接続エレメント（１３、１４）のそれぞれが、前記移相モジュールのうちの一方のもの（１）の前記ループのうちの１つ（４）と、この前記ループ（４）の第２開放部（１５）で接続され、前記移相モジュールの他方のもの（２）の前記ループのうちの１つ（５）に、この前記ループ（５）の第２開放部（１６）で接続され、前記移相モジュール（１、２）が、前記モジュール間接続エレメント（１３、１４）を除いて互いから電気的に絶縁されていることを特徴とする多重移相装置。
【請求項２】
前記移相モジュール（１、２）の少なくとも１つのものの前記ループ（３、４、５、６）が、２つの異なる面内に位置することを特徴とする請求項１に記載の装置。
【請求項３】
前記異なる面が互いに実質的に平行であることを特徴とする請求項２に記載の装置。
【請求項４】
前記移相モジュール（１、２）の少なくとも１つのものの前記ループ（３、４、５、６）が、同じ面内に位置することを特徴とする請求項１に記載の装置。
【請求項５】
前記移相モジュールの一方のもの（１）の前記ループ（３、４）の面が、前記移相モジュールの他方のもの（２）の前記ループ（５、６）の面と同じであることを特徴とする請求項４に記載の装置。
【請求項６】
移相モジュール（１）のループ（３、４）の１つ又は複数の面が、他の移相モジュール（２）のループ（５、６）の１つ又は複数の面と異なることを特徴とする請求項１から４の何れか一項に記載の装置。
【請求項７】
移相モジュール（１）のループ（３、４）の１つ又は複数の面が、他の移相モジュール（２）のループ（５、６）の１つ又は複数の面と平行であることを特徴とする請求項６に記載の装置。
【請求項８】
前記ループ（３、４；５、６）のそれぞれが、フレキシブルプリント回路に取り付けられ、高分子材料のフレキシブル絶縁シートで覆われていることを特徴とする請求項１から７の何れか一項に記載の装置。
【発明の詳細な説明】
【技術分野】
【０００１】
この本発明の主題は、電磁波に関して人々を保護するための多重移相装置である。その適用分野は、例えば移動体電話によって放射される波に関する個人保護の分野である。
【背景技術】
【０００２】
ラジオ及びテレビ局の急成長とともに、移動体電話及び電子レンジの出現と商業的開発は、人々がますます濃くなる電磁気の霧の中で暮らしていることを意味する。
【０００３】
Ｘ線保護エリアで起こったことと同様に、そのような電磁波を見ることの困難さは、情報及び保護に対する社会での重大な要件に至った。
【０００４】
個人の健康に対する移動体電話通信の影響の問題は、長年にわたって多くの論争を引き起こした。
【０００５】
困難さの１つは、特異吸着流れ（specific absorption flow）（ＳＡＦ）の測定、つまり生体組織の１キログラム当たりに吸収される電力のワット数、に関係する。生体のＳＡＦ測定を、電界又は温度に敏感なプローブによって行うことは当然不可能である。
【０００６】
医療用の磁気共鳴画像処理（ＭＲＩ）と電磁気計算の計算方式は電磁界の推定を可能にする。しかし、無線電話を数的にモデル化するのは難しい（ＦＴＲＤ、フランス・テレコム、ＥＮＳＴモデルを参照）。
【０００７】
ＧＳＭの既存のモデルに従って行なわれた計算は１ワット／キログラムのＳＡＦを示し、この電力の１３％が脳に吸収され、エネルギーの３０％が内耳を中心とする５ｃｍ角の立方体に吸収され、内耳の最大推定ＳＡＦは、２５０ｍＷの電力及び９００ＭＨｚのＧＳＭ周波数で約０．４ワット／ｋｇである。
【０００８】
ＳＡＦ測定は３５％の不確実性を生じさせるが、ＳＡＦがＧＳＭ系の電磁界の健康に対する影響に関する技術・科学団体によって満場一致で認められた唯一の測定可能な物理的パラメータであるから、ヨーロッパの国内条例はそれを利用する。
【０００９】
したがって、ＧＳＭ用にフランスで認可された最大ピークパワーは、９００ＭＨｚで２ワット、１８００ＭＨｚで１ワットであり、ＴＤＭＡは２１７ヘルツでチョップされ、最大許容ＳＡＦは一般向けで０．０８ワット／ｋｇ（条例１９９９／５１９ＣＥ）とし、局所的に１０グラムの組織につき２ワット／ｋｇである。
【００１０】
参考までに言えば、組織に対する１Ｓ／ｍの平均導電率値は、９００ＭＨｚで、１Ｗ／ｋｇのＳＡＦを得るために３０Ｖ／ｍの電界強度を示す。
【００１１】
８５０〜１９００ＭＨｚでの移動体電話通信に関連した電磁界には、一見低い熱効果（０．１度未満）がある。
【００１２】
これらの波の健康に対する影響について多くの研究が行なわれた：
−  心臓血管系（血圧、心拍数）、
−  癌（神経膠腫、髄膜腫、聴覚の神経鞘腫、耳下腺癌など）、
−  胚の再生及び発現、
−  免疫系（ＩｇＡ）及び内分泌腺系（メラトニン、コルチゾール）、
−  記憶、注意、集中、睡眠、頭痛、癲癇などの認知機能、
−  ヘマトエンセファリック（hematoencephalic）バリヤ、
−  熱ショックタンパク質。
【００１３】
研究は、医師によって定量することができない徴候に関係した（疲労、熱感、被刺激性、眩暈など）。
【００１４】
これらの疫学的研究は、個人の健康への移動体電話通信の影響に関して肯定的であるのは困難であり、特に、二重盲検法の設定を考えることさえできない程度に困難である。
【００１５】
大衆的な科学紙でのいくつかの記事も、電磁波の潜在的な悪影響を示唆している。
【００１６】
主な国内メディアは、特にフランスにおいて、この問題を定期的に提起している。例えば１９９６年９月１１日、１９９９年３月１０日、２００１年１月３０日及び２００２年３月２８日の日刊ル・モンドがある。
【００１７】
移動体電話からユーザーを保護するための装置に関して、非常に多くの特許出願が既に提出されている（ヨーロッパ分類Ｈ０１Ｑ１／２４Ａ１Ｃ及びＨ０４Ｂ１／３８Ｐ２Ｅを参照）。
【００１８】
例えば、国際公開第０３／００５４８７号、仏国特許出願公開第２８２６７８４号明細書、仏国特許出願公開第２７８１０８８号明細書、国際公開第０３／０４３１２２号及び国際公開第２００５／０３１９１８号を挙げることができ、それらのうちのいくらかは本件の発明者が考案したものである。
【特許文献１】国際公開第０３／００５４８７号
【特許文献２】仏国特許出願公開第２８２６７８４号明細書
【特許文献３】仏国特許出願公開第２７８１０８８号明細書
【特許文献４】国際公開第０３／０４３１２２号
【特許文献５】国際公開第２００５／０３１９１８号
【発明の開示】
【発明が解決しようとする課題】
【００１９】
しかし、国際公開第２００５／０３１９１８号に記載されたような従来技術から公知の保護装置は、作用半径が非常に小さいという欠点がある。実際、これは数ミリメートルから１センチメートルまでの範囲しかない。
【００２０】
したがって、人々の居場所から数メートル以内、あるいは数十メートル以内からでさえも、エミッタ（あるいはトランスミッタ）によって放射される波に関して人々の保護の必要性がある。これは、例えば、住宅地区に近接し得る移動体電話中継局に該当する。
【００２１】
したがって、生じる問題は、数十メートル程度までの大きな距離にわたって有効な、電磁波に関して人々の保護用の装置をいかにして提供するかである。
【００２２】
したがって、発明の目的は、特に前述の問題の解決策を提供することにある。
【課題を解決するための手段】
【００２３】
したがって、本発明は、電磁波に関して人々の保護のための多重移相装置に関する。
【００２４】
特徴として、装置は複数の移相モジュールを含む。それぞれの移相モジュールは、実質的に同じ又は互いに相似で、実質的に平坦な少なくとも２つのループを含み、ループはそれぞれの第１開放部で２つの別個のループ間接続エレメントによって互いに電気的に接続される。これらのループは、ループ間接続エレメントを除いて互いから電気的に絶縁される。
【００２５】
さらに、移相モジュールのそれぞれは、２つの別個のモジュール間接続エレメントによって移相モジュールの少なくとも他の１つに電気的に接続され、他の移相モジュールと実質的に同じ又は相似である。
【００２６】
さらに、モジュール間接続エレメントのそれぞれは、移相モジュールのうちの一方のもののループのうちの１つを、このループの第２開放部で、移相モジュールの他方のものループのうちの１つに、このループの第２開放部で接続する。
【００２７】
最後に、移相モジュールは、モジュール間接続エレメントを除いて互いから電気的に絶縁されている。
【００２８】
第１実施例で、移相モジュールの少なくとも一方のもののループは、２つの異なる面内に位置する。
【００２９】
これらの異なる面は互いに実質的に平行であることが望ましい。
【００３０】
他の実施例で、移相モジュールの少なくとも一方のもののループは同じ面内に位置する。
【００３１】
移相モジュールのループの面が、他の移相モジュールのループの面と同じであってもよい。
【００３２】
他の実施例で、上記の実施例と組み合わせてもよいが、移相モジュールの１つ又は複数のループの面は、他の移相モジュールの１つ又は複数のループの面と異なる。
【００３３】
そして、上記の実施例と組み合わせてもよいが、移相モジュールの１つ又は複数のループの面が、他の移相モジュールの１つ又は複数のループの面と平行であることが望ましい。
【００３４】
さらに別の実施例で、ループのそれぞれは、フレキシブルプリント回路に取り付けられ、高分子材料のフレキシブル絶縁シートで覆われている。
【００３５】
本件の発明者は、上記発明で作用している物理的なメカニズムについて今まで説明することができなかったが、以下で詳細に説明する。
【００３６】
発明の各移相モジュールは、厳密に言えば、折り返しヘルツダイポール又は八木タイプのアンテナ、あるいは実際は磁気ループ・タイプのアンテナを含まない（比較のため、文献ＵＳ−５．６２７．５５２、ＵＳ−３．５８２．９５１及びＵＳ−５．４５１．９６５を参照）ように思われるが、本件の発明者は確認することができなかった。
【００３７】
更に、すべての当業者と同様に、本件の発明者は、この装置の有益な効果を証明するようなＳＡＦ測定の行為で著しい困難に直面した。
【００３８】
本件の発明者は、被験者の手のポイントで電気刺鍼術による測定を行なう、インターテク・テスティング・サービシーズ（Intertek Testing Services）のBEST MSA ２１、タイプＢ、クラス２、シリーズ１４５５器具が、本発明の効果の表示と測定を可能にし、この効果が、以前の装置、特に国際公開第０３／００５４８７号、仏国特許出願公開第２８２６７８４号明細書、及び仏国特許出願公開第２７８１０８８号明細書及び国際公開第２００５／０３１９１８号に記載されたものに対する改良であることを発見した。
【００３９】
ＢＥＳＴ  ＭＳＡ  ２１器具で測定を行なうために、以下の規約を順守した：
１）Krystal M ８４０  Ｄ型のFaditech Z ５０００修正タイプ、低周波場測定セット（１Ｈｚ〜２０００Ｈｚ）、Faditech L.B シリーズ６８３タイプの広帯域高周波場測定セット（２３ＭＨｚ〜１６ＧＨｚ）、及び上記Ｚ ５０００用に設計された遮蔽プローブによる試験区域の電磁界及び電磁波の検証。
【００４０】
参考までに、テスト時に、５０Ｈｚの電界（Ｅ）の値は約２Ｖ／ｍで、５０Ｈｚの磁界のそれは０．０１ｎＴ未満で、ＦＭ、ＶＨＦ、ＵＨＦ、及び０．１ｍＷの値を持ったマイクロ波バンドにおいて検知できない電磁波は２３〜８８ＭＨｚの短波で測定された。
【００４１】
これらの測定の時に、出席者の移動体電話のスイッチは切られた。
【００４２】
ROM Elektronik製のＨＦＲ１検出器で測定された大気中のローカルＳＨＦ出力密度は０．３０Ｗ／ｍ２であった。
【００４３】
２）被験者の手に握られた銅の塊と電気刺鍼術プローブが取り付けられたBEST MSA ２１、タイプＢクラス、シリーズ１４５５器具で、以下の状態で測定：
−  ニュートラル状態、
−  被験者の頭から５０ｃｍ以内に保持された移動体通信オン状態
−  被験者の耳元で保持された移動体通信オン状態
−  本発明の装置を移動体電話に取り付け、あるいは電話と、銅の塊を持つ被験者の手の間に置いた、移動体通信オン状態。
【００４４】
本件の発明者は、次の装置を使用して、従来の装置に対する本発明のより大きな有効性を確認することができた：
−  Regumed LochhamerSchiag, S.A製のBICOM；
−  Vega AM Hohenstein製のVEGATEST EXPERT；
−  MedPrevent GmbH & Co製のPROGNOS ；
−  Biomeridian製のPRT 2000S。
【００４５】
本件の発明者は、その作用半径の点から発明に係る多重移相装置の有効性をも確認することができた。実際、作用半径は、移相モジュールの数にもよるが、従来の装置に対して、１００〜３０００のファクタで増大した。
【発明を実施するための最良の形態】
【００４６】
発明の他の特徴及び利点は、以下の装置の好ましい実施例の説明を読むことで、より明らかに及びより完全になるが、実施例は非限定的なものであり、添付図を参照しながら説明する。
【００４７】
図１は、発明の装置の第１実施例を示し、
図２は、発明の装置の第２実施例を示し、
図３は、発明の装置の第３実施例を示し、
図４は、発明の装置の第４実施例を示す。
【００４８】
図に示すように、装置は２つの移相モジュール１、２を含み、そのそれぞれが例えば銅又は銅合金製の２本の金属ワイヤーからなり、各ワイヤーがループ３、４、５、６を形成している。
【００４９】
これらのループ（つまり、モジュール１の３と４、モジュール２の５と６）は、２つの別個のループ間接続エレメント（つまり、モジュール１の７と８、モジュール２の９と１０）を除いて、例えば、ポリエステルなどのプラスチック材料によって、互いに電気的に絶縁されている。
【００５０】
実際、モジュール１で、２つのループ３、４は、ループ３、４のそれぞれの第１開放部１１で２つの別個のループ間接続エレメント７、８によって互いに接続されている。これらのループ間接続エレメント７、８は、２つのループ３、４を構成するワイヤーで形成されることが望ましい。
【００５１】
同様に、モジュール２で、２つのループ５、６は、ループ５、６のそれぞれの第１開放部１２で２つの別個の接続エレメント９、１０によって互いに接続される。これらのループ間接続エレメント７、８は、２つのループ５、６を構成するワイヤーで形成されることが望ましい。
【００５２】
さらに、２つのモジュール１、２は２つの個別のモジュール間接続エレメント１３、１４によって接続されている。これらのモジュール間接続エレメント１３、１４のそれぞれは、モジュール１の一方のループ４とループ４の第２開放部１５で接続され、他のモジュール２の一方のループ５とループ５の第２開放部１６で接続される。
【００５３】
移相モジュール１、２は、モジュール間接続エレメント１３、１４を除いて、例えばポリエステルなどのプラスチック材料によって、互いに電気的に絶縁されている。
【００５４】
図１に示された実施例で、モジュール１、２は、それぞれ実質的に同じで平坦な２つのループ、つまり第１に３、４、第２に５、６、からなる装置を構成する。
【００５５】
ループ、つまり第１に３及び４、そして第２に５及び６、は実質的に互いに相似に、同様に容易に構成でき、したがって一方を他方よりわずかに大きくできる（数パーセント程度）。
【００５６】
任意のモジュールのループは２つの異なる平行面に置かれるが、互いに対してわずかに傾斜した２つの異なる面に容易に置くこともできる。
【００５７】
さらに、モジュール１はモジュール２と実質的に同じであるが、このモジュール２と実質的に相似に、同様に簡単にできる。後者の場合、例えば、モジュール２の一方又は両方のループ５、６はモジュール１の一方又は両方のループ３、４よりわずかに大きくなる（数パーセント程度）。
【００５８】
加えて、ループ３、４のそれぞれ異なり及び平行である面は、ループ５、６の、それら自身同士が異なり及び平行である各面とも異なり及び平行である。しかし、ループ３、４のそれぞれ異なり及び平行である面は、ループ５、６の異なり及び平行である面に対して同様に容易に、わずかに傾斜させることもできる。
【００５９】
図２に示す変形例では、装置全体が任意の面に位置し、モジュール１のループ３、４は同じ面内にあり、互いに実質的に相似である。当然、この面はモジュール２のループ５、６の面でもあり、それらも互いに実質的に相似である。結果として、この変形例では、モジュール１、２も同じ面内に位置する。
【００６０】
この変形例において、２つのモジュール１、２は実質的に同じであるが、互いに実質的に相似にすることも簡単にできる。後者の場合、例えば、モジュール２の一方又は両方のループ５、６はモジュール１の一方又は両方のループ３、４よりわずかに大きくなる（数パーセント程度）。
【００６１】
図３に示す変形例では、モジュール１のループ３、４は、任意の第１面内にあり、したがって、それはモジュール１の面であり、モジュール２のループ５、６は任意の第２面内にあり、したがって、それはモジュール２の面であるとともに、第１面と異なりかつ平行である。
【００６２】
しかし、第２面、したがってモジュール２のループ５、６の面は、第１面、したがってモジュール１のループ３、４の面に対して同様に容易に、わずかに傾斜させることもできる。
【００６３】
さらに、モジュール２はすべて、モジュール１のすべてに実質的に相似であり、また、正確に言えば、そのすべてがわずかに小さい。しかし、モジュール１及び２は同様に簡単に実質的に同じにできる。
【００６４】
図４に示す変形例では、装置全体が任意の面に位置し、モジュール１のループ３、４は同じ面内にあり、互いに実質的に相似である。当然、この面はモジュール２のループ５、６の面でもあり、それらも互いに実質的に相似である。結果として、この変形例では、モジュール１、２も同じ面内に位置するが、モジュール２はある程度モジュール１の内部にある程度に互いに実質的に相似である。
【００６５】
上記実施例や変形例で、その最終形態の後か、あるいはその前に、装置を絶縁ポリエステル樹脂の中に置いてから、樹脂を硬化させることができる。
【００６６】
上記実施例で、各モジュールの２つのループそれぞれに屈曲箇所が１つだけある。しかし、図外の他の変形例で、１つ以上のループが、実質的に同じか平行である面内に位置する少なくとも２つの屈曲箇所を持っていることも考えられる。
【００６７】
特定の実施例では、ループは少なくとも１つのコンデンサに直列及び／又は並列に接続される。
【００６８】
中波及び高周波の放射の場合には、装置は、例えばアンテナなどのエミッタの下端に置くことができる。したがって、全周まわりの保護を提供する目的で、いくつかの装置をこのエミッタの全周に配置することができる。
【００６９】
低周波の放射の場合には、装置は、非常に高出力の電磁界ジェネレータ（発電所、電気機関車など）のまわりで使用することができる。
【００７０】
より一般的に、装置は、例えば電気器具（大小のもの）、電気ヒータ、テレビジョンセット（特に、電磁界のジェネレータであるフィールド走査コイル及びＴＨＴトランスフォーマを備える）、デジタル・アラームクロックあるいは移動体電話など、中出力、又は、低出力の電磁界ジェネレータに設けることができる。
【００７１】
さらに、装置は、有害な電磁界を生成しがちな地面（構造上の欠陥、水源など）から来る干渉ゾーンに近接する家で使用することができる。
【００７２】
装置中の移相モジュールの正確な数によるが、装置が人体部分にじかに接触して、あるいは近づけて着用された場合、あるいは２、３０メートルまで離れている場合でさえ、数量化されていない症状に対するプラスの効果を出願人は認めた。
【００７３】
上記の説明はすべて、例証としてだけであって、発明を限定するものではない。
【００７４】
特に、既に述べたように、任意のモジュールのループは、同じ面内に（その場合、それらは互いに実質的に相似である）、あるいは互いに平行か、わずかに傾斜した２つの異なる面内に位置させることができる。
【００７５】
同様に、実質的に相似あるいは実質的に同じである別個のモジュールを、同じ面内に置くことができる。また、それらを、互いに平行か、わずかに傾斜した異なる面に置くことができる。
【００７６】
次に、第１の、ループ間接続エレメントと、第２の、モジュール間エレメントの長さは、発明を限定するものではない。この長さは可変で、特に、選択された構成及び保護に関する性能目標に従って調節される。
【００７７】
さらに、任意のモジュールの２つのループ間接続エレメントは、同じ長さであるとして示したが、これは発明を限定するものではない。実際、それらは異なる長さにし、一方が他方よりわずかに長いようにするのは同様に容易である。
【００７８】
同様に、２つのモジュール間接続エレメントは、同じ長さであるとして示したが、これは発明を限定するものではない。実際、それらは異なる長さにし、一方が他方よりわずかに長いようにするのは容易である。
【００７９】
最後に、ループの正確な形は発明を限定せず、例えば真円形以外の美観ある選択としてもよい（楕円、ハート形など）。
【図面の簡単な説明】
【００８０】
【図１】発明の装置の第１実施例
【図２】発明の装置の第２実施例
【図３】発明の装置の第３実施例
【図４】発明の装置の第４実施例
【図１】
2009506604.tif 000003
【図２】
2009506604.tif 000004
【図３】
2009506604.tif 000005
【図４】
2009506604.tif 000006
【国際調査報告】
2009506604.tif 000007
2009506604.tif 000008
2009506604.tif 000009
2009506604.tif 000010
2009506604.tif 000011
2009506604.tif 000012